(57)【特許請求の範囲】
【請求項１】
粗粒子取込み用のチャンバ入口及び微粒子排出用のチャンバ出口を有し、内部に少なくとも１つの粉砕段を有する粉砕チャンバと；
該粉砕チャンバ内の軸方向羽根車と；
分離器入口及び前記チャンバ出口を有する分離段と；
粗粒子と微粒子との質量に基づいて粗粒子と微粒子との選別を行うために、前記粉砕チャンバ内の前記分離器入口の上流にある選別段と；
を含むアトリションミルにおいて；
前記選別段は、実質的に外径が等しく、かつ、実質的に平らなディスクの第１の表面及び第２の表面で構成され、該第１の表面は、軸を中心として回転駆動され、前記第２の表面は、前記第１の表面との間に半径方向に延びる分離通路を形成すべく、第１の表面に対して間隔を存して対向配置し；
前記分離段は、分離用のスクリーンを備えていないか、又は前記チャンバ出口に存在する微粒子の寸法よりも大きい寸法のオリフィスを有する分離用のスクリーンを備えていることを特徴とするアトリションミル。
【請求項２】
前記分離段は、前記分離用のスクリーンを備えていない請求項１記載のアトリションミル。
【請求項３】
前記分離段は、分離器回転子を含んでいる請求項１記載のアトリションミル。
【請求項４】
前記分離段は、スクリーンを含み、該スクリーンの最小オリフィス寸法は、ミルから排出される粒子の最大サイズと実質的に無関係である請求項１記載のアトリションミル。
【請求項５】
軸方向羽根車に沿って距離「ｇ」離れた少なくとも２つの粉砕要素と、分離段より上流にあって、隣接する粉砕要素から羽根車に沿って距離「ｃ」離れた選別要素を含み、距離「ｃ」が距離「ｇ」よりも小さく設定されている請求項１記載のアトリションミル。
【請求項６】
前記選別段は、粗粒子と微粒子とを選別をするために粒子に十分な遠心力を作用させる選別ディスクを含む請求項１記載のアトリションミル。
【請求項７】
前記選別段は、粗粒子及び微粒子を含有するスラリー内から微粒子を選別する段であって、
前記分離通路にスラリーを取込むための選別機入口と；
該選別機入口から間隔を存して設けられた、スラリーが前記分離通路から出るときに通る第１の選別機出口と；
前記選別機入口の半径方向外側に間隔を存して設けられた第２の選別機出口と；
前記選別機入口から前記第１の選別機出口に予め定められた体積流量でスラリーを流すための手段と；を含み、
前記第１の表面は、予め定められた質量より小さい質量をもつ通路内の粒子の大半が、前記第１の選別機出口までスラリーの流れと共に移動し、かつ予め定められた質量より大きい質量を持つ粒子の大半が、スラリーの流れから離れ、前記第２の選別機出口で前記分離通路から半径方向外側に移動するように、第２の表面に対し充分近い間隔をとって設けられ、充分な速度で回転させられる請求項１記載のアトリションミル。
【請求項８】
前記選別機入口が第１の表面を通り、前記第１の選別機出口が第２の表面を通る請求項７記載のアトリションミル。
【請求項９】
軸を中心として回転駆動される第２の表面と、エンドプレートとの間に半径方向に延びる第２の分離通路を形成すべく、エンドプレートから軸方向に間隔を存して設けられた、前記第２の表面を含む選別機要素と；
前記第２の分離通路の周囲を超えて外側に移動する粗粒子の通過を許容するために、分離通路の周囲又は周囲近傍にあって、分離要素に付設されたバッフル手段と；
ミル外への微粒子の通過を許容するために、半径方向に延びる第２分離通路から軸方向に間隔を存して設けられたスラリー出口と；
前記選別機要素の半径内側領域にて半径方向に延びる第２の分離通路へスラリーを取り入れる第１の選別機出口と；
を含む請求項７記載のアトリションミル。
【請求項１０】
粗粒子取込み用のチャンバ入口及び微粒子排出用のチャンバ出口を有し、内部に少なくとも１つの粉砕段を有する粉砕チャンバと；
該粉砕チャンバ内の軸方向羽根車と；
分離器入口及び前記チャンバ出口を有する分離段と、；
粗粒子と微粒子との質量に基づいて粗粒子と微粒子との選別を行うために、前記粉砕チャンバ内の前記分離器入口の上流にある選別段と；
を含むアトリションミルにおいて；
前記選別段は、第１の表面及び第２の表面で構成され、該第１の表面は、軸を中心として回転駆動され、前記第２の表面は、前記第１の表面との間に半径方向に延びる分離通路を形成すべく、第１の表面に対して間隔を存して配置し；
前記分離段は、分離用のスクリーンを備えていないか、又は前記チャンバ出口に存在する微粒子の寸法よりも大きい寸法のオリフィスを有する分離用のスクリーンを備え、
前記チャンバ出口は分離器出口であり；
前記軸方向羽根車は粉砕要素を有し；
前記粉砕チャンバは、通常該粉砕チャンバを軸方向に通る粉砕媒体を含むスラリーで少なくとも部分的に充填され；
前記分離段は、分離器出口の上流又は分離器出口に隣接する１つ以上の軸孔を有する分離器要素を含み、該分離器要素は、軸孔の上流で粉砕媒体を主として前記軸方向羽根車から半径方向外側に向けるものであり；
分離器要素は、分離器出口の周囲を囲み、分離器出口に向かって流れる少なくともある量のスラリーが、分離器要素の前記軸孔を通って軸方向に通過するものであるアトリションミル。
【請求項１１】
入口と出口を有するミルチャンバと；
該ミルチャンバの一部分であって、前記入口が連通している粉砕チャンバと；
前記粉砕チャンバ内に設けられた軸方向羽根車と、該軸方向羽根車に取りつけられた回転可能な粉砕ディスクと；
スラリーの流れに関連して、前記粉砕ディスクの下流で回転可能な選別機ディスクと；
該選別機ディスクの下流のロータと；
該ロータの下流にあるミル出口と；
前記ロータの面に対する面を有する選別機ディスクと；を備え、
該対向する両面は、外径が実質的に等しく、かつ実質的に平らなディスクであって、両面間で規定された選別ゾーンにて、質量によりスラリー内の粒子を遠心的に選別するために、互いに充分に近接して設けられているスラリーとしての流体の粒子を粉砕するアトリションミル。
【請求項１２】
入口と出口を有するミルチャンバと；
該ミルチャンバの一部分であって、前記入口が連通している粉砕チャンバと；
前記粉砕チャンバ内に設けられた軸方向羽根車と、該軸方向羽根車に取りつけられた回転可能な粉砕ディスクと；
前記スラリーの流れに関連して、前記粉砕ディスクの下流で回転可能な選別機ディスクと；
該選別機ディスクの下流のロータと；
該ロータの下流にあるミル出口と；
前記ロータの面に対する面を有する選別機ディスクと；を備え、
該対向する両面は、両面間で規定された選別ゾーンにて、質量によりスラリー内の粒子を遠心的に選別するために、互いに充分に近接して設けられ；
前記選別ゾーンは前記粒子の選別用のスクリーンを備えていないことを含むスラリーとしての流体の粒子を粉砕するアトリションミル。
【請求項１３】
１又は複数の粉砕段を有する粉砕チャンバと；
粗粉砕媒体、スラリー状液体、被粉砕物質を装置に取り入れる１つ以上の入口と；
装置出口と；
粉砕チャンバ内に設置され、前記被粉砕物質の微粒子サイズを小さくするために前記粗粉砕媒体のスラリーと協動するよう適合させた軸方向羽根車と；
前記粒子がミルから排出されて分離し、粒子から遠心力によって１つ又は複数の粉砕段に戻されるべき選別段と；
を含むアトリションミル。
【請求項１４】
１つ以上の入口を有するアトリションミル内の被粉砕物質、装置出口、１又は複数の粉砕段を有する粉砕チャンバ、粉砕チャンバ内に設置され、被粉砕物質を細かくして微粒子にするために粗粉砕媒体のスラリーと協動するよう適合させた軸方向羽根車を含むアトリションミルによるスラリー内の粒子選別方法において；
通路入口と該通路入口の反対側又は半径方向内側に設けられた通路出口とを有する通路にスラリーを取り入れる工程と；
羽根車軸回りに通路内のスラリーを回転させる工程と；
スラリー中の粗粒子と微粒子の質量により微粒子から粗粒子を分離し、通路出口から排出されるスラリーが微粒子を含有し、粗粒子を実質的に含まないようにスラリーの回転速度を選択する工程と；
を含むスラリー内の粒子選別方法。
【請求項１５】
前記スラリーは、通路を決定する隣接する粉砕要素間の間隔より小さい距離で離隔された一対のディスクにより回転駆動する請求項１４記載のスラリー内の粒子選別方法。
【請求項１６】
分離器出口にある分離段と半径方向に設けられた通路をさらに含み、
前記選別機は、選別機通路出口を有し、選別機通路出口を介して選別機から排出する粒子は、半径方向に設けられた前記通路に入り、選別機出口の半径方向内側に設けられた分離器出口にて半径方向に設けられた通路から排出する請求項１４記載のスラリー内の粒子選別方法。
【請求項１７】
選別機通路出口から排出するスラリーは、該選別機通路出口を含む他の通路から装置出口を通り、前記他の通路の最小寸法が、ミルから排出される微粒子の寸法より大きいばかりでなく、ミルに残留する平衡粉砕媒体含有量の８０％が通過する請求項１４記載のスラリー内の粒子選別方法。
【請求項１８】
１つ以上の入口を有するアトリションミルにての被粉砕物質、装置出口、１つ又は複数の粉砕段を有する粉砕チャンバ、該粉砕チャンバ内に設置され、被粉砕物質を微粒子にするために粗粉砕媒体のスラリーと協動するよう適合させた軸方向羽根車を含むアトリションミルによるスラリーの粒子選別方法において；
通路入口と該通路入口の反対側又は半径方向内側に設けられた選別機通路出口とを有する通路にスラリーを取り入れる工程と；
羽根車軸回りに前記通路内のスラリーを回転させる工程と；
スラリー中の粗粒子と微粒子の質量により微粒子から粗粒子を分離し、選別機通路出口から排出されるスラリーが微粒子を含有し、粗粒子を実質的に含まないようにスラリーの回転速度を選択する工程と；を具備し、
前記選別機通路出口から排出されるスラリーは、該選別機通路出口から他の通路を介して装置出口を通り、前記他の通路の最小寸法が、ミルから排出される微粒子の寸法より大きいばかりでなく、ミルに残留する平衡粉砕媒体含有量の９０％が通過することを特徴とするスラリー内の粒子選別方法。
【請求項１９】
１つ以上の入口を有するアトリションミルにての被粉砕物質、装置出口、１つ又は複数の粉砕段を有する粉砕チャンバ、該粉砕チャンバ内に設置され、被粉砕物質を微粒子にするために粗粉砕媒体のスラリーと協動するよう適合させた軸方向羽根車を含むアトリションミルによるスラリーの粒子選別方法において；
通路入口と該通路入口の反対側又は半径方向内側に設けられた選別機通路出口とを有する通路にスラリーを取り入れる工程と；
羽根車軸回りに前記通路内のスラリーを回転させる工程と；
スラリー中の粗粒子と微粒子の質量により微粒子から粗粒子を分離し、選別機通路出口から排出されるスラリーが微粒子を含有し、粗粒子を実質的に含まないようにスラリーの回転速度を選択する工程と；を具備し、
前記スラリーは、通路を決定する隣接する粉砕要素間の間隔より小さい距離で離隔された一対のディスクにより回転駆動され、
軸方向羽根車は、軸方向羽根車に沿って距離「ｇ」離れた少なくとも２つの粉砕要素と、隣接する粉砕要素から距離「ｃ」離れてロータに設けられた一対のディスクとを含み、「ｃ」が「ｇ」の０．７倍未満であるスラリー内の粒子選別方法。
【請求項２０】
１つ以上の入口を有するアトリションミルにての被粉砕物質、装置出口、１つ又は複数の粉砕段を有する粉砕チャンバ、該粉砕チャンバ内に設置され、被粉砕物質を微粒子にするために粗粉砕媒体のスラリーと協動するよう適合させた軸方向羽根車を含むアトリションミルによるスラリーの粒子選別方法において；
通路入口と該通路入口の反対側又は半径方向内側に設けられた選別機通路出口とを有する通路にスラリーを取り入れる工程と；
羽根車軸回りに通路内のスラリーを回転させる工程と；
スラリー中の粗粒子と微粒子の質量により微粒子から粗粒子を分離し、選別機通路出口から排出されるスラリーが微粒子を含有し、粗粒子を実質的に含まないようにスラリーの回転速度を選択する工程と；
通路を決定する隣接する粉砕要素間の間隔より小さい距離で離隔された一対のディスクにより前記スラリーを回転駆動する工程と；
微粒子から遠心力によって粗粒子を分離する工程と；
を具備するスラリー内の粒子選別方法。
【発明の詳細な説明】
発明の分野
本発明は、アトリションミル並びに粗粒子及び微粒子のスラリー内の微粒子を選別する方法及びそのための装置に関する。より詳細には、本発明は、さらなる粉砕（ａｔｔｒｉｔｉｏｎ）のためにミル内に有用な粉砕媒体を保持しながら、ミルから粉砕済みの鉱物微粉及び消費済みの少量の粉砕媒体を出すことができるようにするアトリションミルのための選別システム及び分離システムに関する。
発明の背景
これまで、アトリションミルは、主として高価値低処理量（例えば、１時間当り約１０立方メートル以下）に適用するために用いられてきた。本発明は、従来アトリションミルが用いられていたその他の工業よりも高い処理量を必要とする鉱業における選鉱作業で用いる目的で開発されたものである。
本明細書では、ミル内でのその使用を特に基準にして本発明が記述されているが、これはその用途に制限されるわけではなく、粒子分離においてより一般的な利用分野を有する可能性がある。
本明細書では、「アトリションミル」という用語は、超微粉砕に用いられるミル、例えばビードミル、ペグミルの如きあらゆる形態での撹拌型ミル；ボールミル、コロイドミル、流体エネルギーミル、超音波ミル、小型粉砕機の如き湿式ミル、及び類似の粉砕機を含むものとして使われている。一般に、このようなミルは、粉砕チャンバと、アーム又はディスクの如き主として半径方向に向けられた一連の粉砕要素を有する軸方向羽根車とを含んでおり、この羽根車は適当な駆動列を介してモータにより回転させられている。粉砕要素は、ミルの全体的設計及び容量、羽根車の速度及び直径、粉砕要素の設計、ミルの処理量及びその他の要因を考慮して、隣接する粉砕要素の相対する面の間での適当な循環を可能にするように選ばれた距離だけ、羽根車に沿ってほぼ等間隔で置かれている。
このようなミルには、通常、粉砕媒体が具備されており、粉砕すべき原料物質はスラリーとしてミルに供給される。本明細書では、本発明について、外生（ｅｘｏｇｅｎｏｕｓ）粉砕媒体の使用を特に基準として記述しているが、本発明を自生（ａｕｔｏｇｅｎｏｕｓ）又は半自生（ｓｅｍｉ−ａｕｔｏｇｅｎｏｕｓ）粉砕のために使用される場合のミルに応用できることも理解されるであろう。例えば、黄鉄鉱、硫砒黄鉄鉱などを粉砕するのに使用される撹拌型ミルの場合には、粉砕媒体は、球形、円筒形、多角形又は不規則な形の粉砕要素であってもよいし、あるいは鋼、ジルコン、珪砂、スラグなどでもよい。宿主脈石（ｈｏｓｔ  ｇａｎｇｕｅ）（例えば、ケツ岩及び／又はシリカ）内に分布した硫化鉱（例えば、方鉛鉱、黄鉄鉱）を粉砕するのに使用されるビードミルの場合、脈石自体を例えば１〜６ミリメートル又は１〜４ミリメートルの適切なサイズ範囲にふるい分けすることができ、これを粉砕媒体として使用することができる。媒体サイズの範囲は、必要とされる粉砕の微細度に応じて異なる。ミルの体積容量の約４０％〜約９５％が粉砕媒体で占有されていてよい。
粉砕プロセスにおいては、粉砕媒体が、粉砕されるべき原料物質と同様にサイズが縮小されることを認識しておくべきである。それ自体原料物質を粉砕するのにもはや有効でないサイズまで粉砕された粉砕媒体は、「消費済み」の粉砕媒体と呼ぶものとする。また、原料物質を粉砕するのに充分なサイズをもつ粉砕媒体は、「有用な」粉砕媒体と呼ぶものとする。
例えば、一次鉱石、鉱物、精鉱、カルサイン（ｃａｌｃｉｎｅ）、再生選鉱滓などといった粉砕すべき原料物質は、従来の手段によって予めサイズ縮小した後（例えば２０〜９０ミクロンまで）、水中でスラリー化され、次に粉砕チャンバ内の入口を通してアトリションミルに取り込まれる。ミル内では、羽根車は、粉砕媒体の粒子が原料物質と衝突するように、かつ原料物質の粒子が互いに衝突し合うようにし、原料物質を破砕させて微粉を生成させる（例えば０．５〜２５ミクロン）。微粉及び消費済み粉砕媒体をミルから出すことができるようにしながら、ミル内に有用な粉砕媒体及び未粉砕原料物質を保持するべく、ミルの出口にて微粉から粗材料を分離することが望ましい。
既存のアトリションミルでは、出口分離は、ミル出口又はその近傍に存在し、消費済み粉砕媒体及び製品の通過を許容するが、有用な粉砕媒体は通過させないように寸法決定された隙間を有する孔開き又は溝開きスクリーンを用いて達成される。例えばミル内に１ｍｍより大きい粒子を保持することが望まれる場合、１ｍｍより小さい粒子のみがスクリーンを通ってミルから出るように、スクリーンの出口の間隙の幅は最大１ｍｍとなる。さらに、出口は、スクリーン詰りを低減するためのスクレーパ又は分離器回転子を含んでいてよい。分離器回転子の相対向する表面と最後の下流粉砕要素の間の軸方向間隔は、粉砕要素のその他すべての対の相対向する表面間の間隔にほぼ等しい。
アトリションミルの設計及び運転並びに媒体の選択はきわめて経験的なものである。コンピュータベースの様々な数学的モデルが提案されてきたが、そのいずれも満足のいくミル性能の予測を生み出さなかった。
例えば１０ＴＰＨを超えるミル処理量を有する高処理量ビードミル内で様々な粉砕媒体を用いて硫化鉱を細かく粉砕しようとする試みにおいては、出口スクリーンが急速に詰まって処理量を許容できないほど低いレベルまで低下させることがわかった。その上、分離器回転子及び出口スクリーンの摩耗速度のため運転は不経済的なものとなっている。
発明の開示
本発明の目的は、スラリー内の微粒子から粗粒子を選別及び／又は分離するための改良型手段を提供することにある。本発明の好ましい実施態様の目的は、ふるいの詰りを低減させるか又はなくして分離器段における摩耗を許容できるレベルまで低減させるアトリションミルのための改良型出口を提供することにある。
第１の態様によると、本発明のアトリションミルは、粗粒子取込み用のチャンバ入口及び微粒子排出用のチャンバ出口を有し、内部に少なくとも１つの粉砕段を有する粉砕チャンバと；
該粉砕チャンバ内の軸方向羽根車と；
分離器入口及び前記チャンバ出口を有する分離段と；
粗粒子と微粒子との質量に基づいて粗粒子と微粒子との選別を行うために、前記粉砕チャンバ内の前記分離器入口の上流にある選別段と；
を含むアトリションミルにおいて；
前記選別段は、実質的に外径が等しく、かつ、実質的に平らなディスクの第１の表面及び第２の表面で構成され、該第１の表面は、軸を中心として回転駆動され、前記第２の表面は、前記第１の表面との間に半径方向に延びる分離通路を形成すべく、第１の表面に対して間隔を存して対向配置し；
前記分離段は、分離用のスクリーンを備えていないか、又は前記チャンバ出口に存在する微粒子の寸法よりも大きい寸法のオリフィスを有する分離用のスクリーンを備えている。
そして、好ましい実施態様として、前記分離段は、前記分離用のスクリーンを備えていないか、または、分離器回転子を含んでいる。さらに、前記分離段は、スクリーンを含み、該スクリーンの最小オリフィス寸法は、ミルから排出される粒子の最大サイズと実質的に無関係である。そして、軸方向羽根車に沿って距離「ｇ」離れた少なくとも２つの粉砕要素と、分離段より上流にあって、隣接する粉砕要素から羽根車に沿って距離「ｃ」離れた選別要素を含み、距離「ｃ」が距離「ｇ」よりも小さく設定されている。さらにまた、前記選別段は、粗粒子と微粒子とを選別をするために粒子に十分な遠心力を作用させる選別ディスクを含んでいる。
第２の態様によると、前記選別段は、粗粒子及び微粒子を含有するスラリー内から微粒子を選別する段であって、
前記分離通路にスラリーを取込むための選別機入口と；
該選別機入口から間隔を存して設けられた、スラリーが前記分離通路から出るときに通る第１の選別機出口と；
前記選別機入口の半径方向外側に間隔を存して設けられた第２の選別機出口と；
前記選別機入口から前記第１の選別機出口に予め定められた体積流量でスラリーを流すための手段と；を含み、
前記第１の表面は、予め定められた質量より小さい質量をもつ通路内の粒子の大半が、前記第１の選別機出口までスラリーの流れと共に移動し、かつ予め定められた質量より大きい質量を持つ粒子の大半が、スラリーの流れから離れ、前記第２の選別機出口で前記分離通路から半径方向外側に移動するように、第２の表面に対し充分近い間隔をとって設けられ、充分な速度で回転させられる。
好ましくは、前記選別機入口が第１の表面を通り、前記第１の選別機出口が第２の表面を通る。また、軸を中心として回転駆動される第２の表面と、エンドプレートとの間に半径方向に延びる第２の分離通路を形成すべく、エンドプレートから軸方向に間隔を存して設けられた、前記第２の表面を含む選別機要素と；
前記第２の分離通路の周囲を超えて外側に移動する粗粒子の通過を許容するために、分離通路の周囲又は周囲近傍にあって、分離要素に付設されたバッフル手段と；
ミル外への微粒子の通過を許容するために、半径方向に延びる第２分離通路から軸方向に間隔を存して設けられたスラリー出口と；
前記選別機要素の半径内側領域にて半径方向に延びる第２の分離通路へスラリーを取り入れる第１の選別機出口と；
を含んでいる。
第３の態様によると、粗粒子取込み用のチャンバ入口及び微粒子排出用のチャンバ出口を有し、内部に少なくとも１つの粉砕段を有する粉砕チャンバと；
該粉砕チャンバ内の軸方向羽根車と；
分離器入口及び前記チャンバ出口を有する分離段と、；
粗粒子と微粒子との質量に基づいて粗粒子と微粒子との選別を行うために、前記粉砕チャンバ内の前記分離器入口の上流にある選別段と；
を含むアトリションミルにおいて；
前記選別段は、第１の表面及び第２の表面で構成され、該第１の表面は、軸を中心として回転駆動され、前記第２の表面は、前記第１の表面との間に半径方向に延びる分離通路を形成すべく、第１の表面に対して間隔を存して配置し；
前記分離段は、分離用のスクリーンを備えていないか、又は前記チャンバ出口に存在する微粒子の寸法よりも大きい寸法のオリフィスを有する分離用のスクリーンを備え、
前記チャンバ出口は分離器出口であり；
前記軸方向羽根車は粉砕要素を有し；
前記粉砕チャンバは、通常該粉砕チャンバを軸方向に通る粉砕媒体を含むスラリーで少なくとも部分的に充填され；
前記分離段は、分離器出口の上流又は分離器出口に隣接する１つ以上の軸孔を有する分離器要素を含み、該分離器要素は、軸孔の上流で粉砕媒体を主として前記軸方向羽根車から半径方向外側に向けるものであり；
分離器要素は、分離器出口の周囲を囲み、分離器出口に向かって流れる少なくともある量のスラリーが、分離器要素の前記軸孔を通って軸方向に通過するものである。
第４の態様によると、入口と出口を有するミルチャンバと；
該ミルチャンバの一部分であって、前記入口が連通している粉砕チャンバと；
前記粉砕チャンバ内に設けられた軸方向羽根車と、該軸方向羽根車に取りつけられた回転可能な粉砕ディスクと；
スラリーの流れに関連して、前記粉砕ディスクの下流で回転可能な選別機ディスクと；
該選別機ディスクの下流のロータと；
該ロータの下流にあるミル出口と；
前記ロータの面に対する面を有する選別機ディスクと；を備え、
該対向する両面は、外径が実質的に等しく、かつ実質的に平らなディスクであって、両面間で規定された選別ゾーンにて、質量によりスラリー内の粒子を遠心的に選別するために、互いに充分に近接して設けられているスラリーとしての流体の粒子を粉砕する。
第５の態様によると、入口と出口を有するミルチャンバと；
該ミルチャンバの一部分であって、前記入口が連通している粉砕チヤンバと；
前記粉砕チャンバ内に設けられた軸方向羽根車と、該軸方向羽根車に取りつけられた回転可能な粉砕ディスクと；
前記スラリーの流れに関連して、前記粉砕ディスクの下流で回転可能な選別機ディスクと；
該選別機ディスクの下流のロータと；
該ロータの下流にあるミル出口と；
前記ロータの面に対する面を有する選別機ディスクと；を備え、
該対向する両面は、両面間で規定された選別ゾーンにて、質量によりスラリー内の粒子を遠心的に選別するために、互いに充分に近接して設けられ；
前記選別ゾーンは前記粒子の選別用のスクリーンを備えていないことを含むスラリーとしての流体の粒子を粉砕する。
第５の態様によると、１又は複数の粉砕段を有する粉砕チャンバと；
粗粉砕媒体、スラリー状液体、被粉砕物質を装置に取り入れる１つ以上の入口と；
装置出口と；
粉砕チャンバ内に設置され、前記被粉砕物質の微粒子サイズを小さくするために前記粗粉砕媒体のスラリーと協動するよう適合させた軸方向羽根車と；
前記粒子がミルから排出されて分離し、粒子から遠心力によって１つ又は複数の粉砕段に戻されるべき選別段と；を含んでいる。
次に、本発明のアトリションミルによるスラリー内の粒子選別方法は、第１の態様によれば、１つ以上の入口を有するアトリションミル内の被粉砕物質、装置出口、１又は複数の粉砕段を有する粉砕チャンバ、粉砕チャンバ内に設置され、被粉砕物質を細かくして微粒子にするために粗粉砕媒体のスラリーと協動するよう適合させた軸方向羽根車を含むアトリションミルによるスラリー内の粒子選別方法において；
通路入口と該通路入口の反対側又は半径方向内側に設けられた通路出口とを有する通路にスラリーを取り入れる工程と；
羽根車軸回りに通路内のスラリーを回転させる工程と；
スラリー中の粗粒子と微粒子の質量により微粒子から粗粒子を分離し、通路出口から排出されるスラリーが微粒子を含有し、粗粒子を実質的に含まないようにスラリーの回転速度を選択する工程と；を含んでいる。
好ましくは、前記スラリーは、通路を決定する隣接する粉砕要素間の間隔より小さい距離で離隔された一対のディスクにより回転駆動する。また、分離器出口にある分離段と半径方向に設けられた通路をさらに含み、前記選別機は、選別機通路出口を有し、選別機通路出口を介して選別機から排出する粒子は、半径方向に設けられた前記通路に入り、選別機出口の半径方向内側に設けられた分離器出口にて半径方向に設けられた通路から排出する。さらに、選別機通路出口から排出するスラリーは、該選別機通路出口を含む他の通路から装置出口を通り、前記他の通路の最小寸法が、ミルから排出される微粒子の寸法より大きいばかりでなく、ミルに残留する平衡粉砕媒体含有量の８０％が通過する。
第２の態様によれば、１つ以上の入口を有するアトリションミルにての被粉砕物質、装置出口、１つ又は複数の粉砕段を有する粉砕チャンバ、該粉砕チャンバ内に設置され、被粉砕物質を微粒子にするために粗粉砕媒体のスラリーと協動するよう適合させた軸方向羽根車を含むアトリションミルによるスラリーの粒子選別方法において；
通路入口と該通路入口の反対側又は半径方向内側に設けられた選別機通路出口とを有する通路にスラリーを取り入れる工程と；
羽根車軸回りに前記通路内のスラリーを回転させる工程と；
スラリー中の粗粒子と微粒子の質量により微粒子から粗粒子を分離し、選別機通路出口から排出されるスラリーが微粒子を含有し、粗粒子を実質的に含まないようにスラリーの回転速度を選択する工程と；を具備し、
前記選別機通路出口から排出されるスラリーは、該選別機通路出口から他の通路を介して装置出口を通り、前記他の通路の最小寸法が、ミルから排出される微粒子の寸法より大きいばかりでなく、ミルに残留する平衡粉砕媒体含有量の９０％が通過する。
第３の態様によれば、１つ以上の入口を有するアトリションミルにての被粉砕物質、装置出口、１つ又は複数の粉砕段を有する粉砕チャンバ、該粉砕チャンバ内に設置され、被粉砕物質を微粒子にするために粗粉砕媒体のスラリーと協動するよう適合させた軸方向羽根車を含むアトリションミルによるスラリーの粒子選別方法において；
通路入口と該通路入口の反対側又は半径方向内側に設けられた選別機通路出口とを有する通路にスラリーを取り入れる工程と；
羽根車軸回りに前記通路内のスラリーを回転させる工程と；
スラリー中の粗粒子と微粒子の質量により微粒子から粗粒子を分離し、選別機通路出口から排出されるスラリーが微粒子を含有し、粗粒子を実質的に含まないようにスラリーの回転速度を選択する工程と；を具備し、
前記スラリーは、通路を決定する隣接する粉砕要素間の間隔より小さい距離で離隔された一対のディスクにより回転駆動され、
軸方向羽根車は、軸方向羽根車に沿って距離「ｇ」離れた少なくとも２つの粉砕要素と、隣接する粉砕要素から距離「ｃ」離れてロータに設けられた一対のディスクとを含み、「ｃ」が「ｇ」の０．７倍未満である。
第４の態様によれば、１つ以上の入口を有するアトリションミルにての被粉砕物質、装置出口、１つ又は複数の粉砕段を有する粉砕チャンバ、該粉砕チャンバ内に設置され、被粉砕物質を微粒子にするために粗粉砕媒体のスラリーと協動するよう適合させた軸方向羽根車を含むアトリションミルによるスラリーの粒子選別方法において；
通路入口と該通路入口の反対側又は半径方向内側に設けられた選別機通路出口とを有する通路にスラリーを取り入れる工程と；
羽根車軸回りに通路内のスラリーを回転させる工程と；
スラリー中の粗粒子と微粒子の質量により微粒子から粗粒子を分離し、選別機通路出口から排出されるスラリーが微粒子を含有し、粗粒子を実質的に含まないようにスラリーの回転速度を選択する工程と；
通路を決定する隣接する粉砕要素間の間隔より小さい距離で離隔された一対のディスクにより前記スラリーを回転駆動する工程と；
微粒子から遠心力によって粗粒子を分離する工程と；
を具備している。
ここで、添付図面を参考にしながら、例を用いて、本発明についてさらに詳細に記述する。なお図面中、
図１は、先行技術のアトリションミルの側面を示す、一部断面概略図である。
図２ａ及び図２ｂは、図１のミルの２ａ−２ａ線及び２ｂ−２ｂ線での断面図を示している。
図３は、図１のミルの粉砕用ディスクの間のスラリー流路のいくつかを表わす概略図である。
図４は、図１のミルの先行技術の分離器アセンブリの拡大側面図である。
図５は、本発明による選別段の第１の実施態様の概略的断面図である。
図６〜２５は、断面図により本発明のさらに１９の実施態様を概略的に例示した図である。
発明の好ましい実施態様
図１を参照すると、一般に円筒形の側壁２、入口端壁４及び排出端壁５によって構成される粉砕チャンバ１を含む先行技術のアトリションミルが、概略的に示されている。チャンバ１には、入口ポート３及び出口パイプ６が具備されている。チャンバ１は、図示していない手段により基礎に取り付けられている。軸方向羽根車シャフト１０は、入口端壁４のシール装置１１を貫通して延びている。シャフト１０は駆動列（図示せず）によって駆動され、軸受１２及び１３によって支持されている。チャンバ１の内部では、羽根車シャフト１０は、平面で見たときに各々等角度で間隔を置いた開口部１５（図２ａ参照）が開けられていることがわかる一連の半径方向に導かれた粉砕ディスク１４が固着されている。この例では、粉砕ディスク１４は、シャフト１０にキー止めされ、隣接する粉砕ディスク１４から距離「ｇ」の間隔をとって設けられている。
図３を参照すると、図１のミルの隣接する粉砕ディスク１４の中及び周りに表れると考えられている概略的流れパターン（矢印ラインで表わされている）が示されている。スラリーは、粉砕ディスク１４の間隙１５を通って循環し、粒子は同様に粉砕ディスク１４の相対向する表面の間に入り、その他の粒子に対して、粉砕ディスク間のシャフトに対して、ディスク表面に対して、そしてミルの壁に対して投げつけられる。スラリーは、ディスクの間、そして好ましくは隣接するシャフト１０に対して半径方向に循環する。
隣接する粉砕ディスク１４の間の距離「ｇ」は、代替的に、隣接する粉砕ディスク間の「分離」角度αとして定義づけできる。分離角度αは、シャフトと、１つの粉砕ディスクの半径方向内側の端部（シャフト周囲１０ａにおける）から隣接する粉砕ディスクの半径方向外側先端部１４ａ（図１及び４に表わされている）まで延びるラインとの間の角度である。粉砕ディスクの間隔が近すぎる場合（例えば分離角度が６０度を超える）、媒体は、図示されているように、ディスク１４間で循環せず、粉砕効率が失われる。最適な研削効率及び最小の摩耗のためには、３００〜６００の分離角度が好ましい。
図４を参照すると、図１のものに類似するミルの先行技術による分離段の一部分が拡大詳細図で示されている。
排出端壁５は環状型であり、全体として符号２０で表わされ、円筒形部分２１と外部プレート２２から成る排出体を入れる円形開口部を構成している。円筒形部分２１は、端壁５及び出口パイプ６でシールされている。排出体２０は、さらに、外部プレート２２から軸方向に間隔をとって配置された排出体内部プレート２３を含み、この排出体内部プレート２３の周囲に配置され内部プレート２３と外部プレート２２の間に延びる一般に円筒形をした出口開口部２５を構成している。出口開口部２５は円筒形スクリーン２４で覆われている。スクリーン２４は、充分に細かい粉砕済み製品のミルから外への通過を許容し、しかもミルの中に有用な粉砕媒体を保持するように選択された寸法のアパーチャ（孔）を有している。
最後の粉砕ディスク１４の下流で、かつ羽根車シャフト１０の端部又はその近傍に、分離器回転子３０が具備されている。回転子３０は、排出体内部プレート２３から離隔されており、羽根車の軸に平行に延び回転子３０の周囲で等角度で間隔がとられ、スクリーン２４から半径方向外向きに間隔をとって配置されている複数のフィンガー３１を具備している。分離器回転子３０は同様に、距離「ｇ」だけ最後の粉砕ディスクから間隔をとって置かれている。
先行技術による出口段を使用した場合、粗粒子及び微粒子を含むスラリーは、（ｘ）で表わされている如き側壁２に隣接して端壁５まで走行するものとして知られており、図中の実線は、スラリー内の粗粒子（例えば有用な粉砕媒体）の流れを表わし、破線は、スラリー内の微粒子（例えば粉砕済み製品及び消費済み媒体）の動きを表わしている。スラリーは、端壁５に隣接する（ｙ）で半径方向内向きに走行し、次にスクリーン２４と回転子フィンガー３１の間に構成された軸方向に導かれた通路２６の中に入る。
前述の通り、出口スクリーン２４には、このスクリーン２４により粗粒子が除去される一方で、スクリーン２４と出口２５の中を通り、出口パイプ６を介して（ｚ）にてミルから排出する微粒子の通過を許容するようにアパーチャが設けられている。スクリーン全体にわたる分離器回転子フィンガー３０によるスラリーの軸方向回転は、スクリーン２４を通過できない代わりにフィンガー３１の間を通り、スクリーンから離れる粗粒子によってスクリーンが詰まるのを防ぐように意図されたものである。ミルの粉砕段は「ＧＳ」として記され、分離段は「ＳＳ」と記されている。
図５を参照すると、本発明による装置の第１の実施態様が示されており、ここでは、「ＣＳ」と記した選別段が分離段「ＳＳ」の上流に具備されている。図５〜２５において、図１〜４で使用されている部分に対応するものは対応符号で示されており、主として図１〜４の装置との差異に注意が向けられる。
発明の単純な形態においては、図５の分離器システムは、端壁５からシャフト１０と同軸的に延び、端壁５内に出口開口部２５を有するスクリーンを持たないパイプ６の形をした出口を用いている。この実施態様においては、分離器回転子３０には、図４のフィンガー３１と類似の機能を持つ半径方向の羽根３１Ｂが具備されている。選別ディスク１６の形をした選別機要素は、シャフト１０に固着され、このシャフト１０によって軸方向に回転駆動させられる。選別機ディスク１６は、概ね粉砕ディスク１４と類似の寸法であり、類似の等角度間隔で設けられたアパーチャ１５Ａを備えている。選別機ディスク１６は下流表面１７を有し、シャフト１０の軸を中心に回転させられる。表面１７は、第２の表面１８（分離器回転子３０の上流表面に対応するもの）から離隔されている。第１の表面１７は、粉砕ディスク１４の間の通常の距離「ｇ」の０．７５未満、より好ましくは０．６未満である距離「ｃ」だけ、第２の表面１８から軸方向に間隔をおいて配置されている。分離器回転子３０の上流側と隣接する選別機ディスク１６との間の距離「ｃ」は、「ｇ」よりも小さい結果、回転子３０と隣接するディス１６の間の分離角度は通常６０°より大きいものとなる。
驚くべきことに、表面１７、１８の間隔が狭くてミルを通しての体積流量が予め定められた流量で制御されている場合、ディスク１６と３０の間で粒子の選別が行なわれることがわかった。出口開口部２５にいかなる分離器スクリーンも具備されず、そして出口の直径が保持された粒子のうち最も大きい寸法よりもはるかに大きい場合でさえ、細かく粉砕された粒子及び消費済み媒体はミルを離れ、有用な媒体の粗粒子がミル内にとどまる。こうして、ミルの中に保持されるべき有用な媒体の大部分が、分離段に達する前にスラリーから選別されるため、スクリーンの詰りはなくなり、摩耗はきわめて大幅に減少する。「ｃ」を入念に選択することにより、分離器段及び出口の摩耗を大幅に削減できる。
選別効果は以下のように説明がつくと思われる：すなわち、
ミルに対する体積流量は、スラリーポンプを含む手段により一定の流量に制御され、媒体の密度は、ミルの中で粉砕されつつある原料のものと類似の規模のものである。しかしながら、有用な媒体の粒子のサイズ及び質量は、細かく粉砕された製品の粒子と標準的に同規模か又はこれより大きい。微粒子及び粗粒子（ｈ）のスラリーは、ディスク１６のアパーチャ１５Ａを介して、選別機ディスク１６と分離器回転子３０の間に構成されたディスク形の通路１９の中に入ると考えられる。アパーチャ１５Ａは選別機入口を構成する。通路１９は、ディスク３０内のアパーチャ３２の形をした単数又は複数の第１の選別機出口、及びディスク１６の周囲にある第２の選別機出口を有する。
回転表面に隣接する流体の概念的層の角速度は、回転表面の速度に近似するが、この速度は軸方向での表面からの距離の関数として低下する。選別段の第１及び第２の表面１７，１８は、粉砕ディスク対に比べ軸方向にさらに密な間隔をおいて配置されているため、第１及び第２の表面の間の通路１９内で回転される液体の薄層状の最低角速度は、さらに広く離隔された隣接する粉砕ディスク１４の間の中間にある流体の薄層状の層に付与される最小角速度よりもはるかに大きい。回転する第１の表面１７（又は表面１７に付随する液体層）は、アパーチャ１５Ａを介して通路１９内に入るスラリー流内の粒子に対して力を付与する。質量ｍの粒子に対し半径方向外向きに作用する力（Ｆ）の成分は、
Ｆ＝ｍｖ2／ｒ
という式で示される。なお、式中ｖは粒子速度、ｒは軸からの半径方向距離である。
与えられた速度について、Ｆは、粒子質量が増大するにつれて、そして粒子が軸に近づく（すなわちｒが減少する）につれて増大することになる。それを超えると粒子に対する力が、出口３２に向かって流れるスラリーから粒子（ｉ）を同伴解除し実質的に接線方向で外向きに粒子を投げてディスク１６の周囲において通路１９を離れる（「第２の選別機出口」）のに充分なものとなるような１つの粒子質量が存在する。羽根３１（Ｂ）は、半径方向外向きのスラリーの流量がミルの処理量の流量よりも確実に大きくなり、実質的に選別機ディスク周囲において媒体が通路に入るのを防ぐようにしており、回転子３０に対するディスク１６の間隔が狭いことによって、シャフトに向けられるディスク１６の周囲からの半径方向内向きの循環が実質的に避けられる。
より小さい質量（ｊ）の粒子は、アパーチャ３２（「第１の選別機出口」）、出口２５及びパイプ６を介して流れ出るスラリーの中に同伴された状態にとどまる。図５の実施態様は単純であるという利点をもつが、以下で記述するとおり、その他のさまざまな実施態様を用いることによってより優れた結果が得られている。
図６は、選別機ディスク１６が粉砕ディスク１４と類似の形をもち等角度で間隔がおかれたアパーチャ１５Ａをも含んでいる第２の実施態様を示している。図６の実施態様においては、選別機ディスク１６は、羽根車シャフトに取り付けられている分離器回転子３０に対して狭い間隔をとって配置されている。図６の装置は、排出体２３、２４の周りに配置された軸方向に延びるフィンガー３１を利用することによって回転子３０の半径方向圧送効率が増大するという点で、図５のものと異なっている。
分離器段は、図５の実施態様において使用された方法を利用している。第１の表面１７及び第２の表面１８は双方とも羽根車シャフト１０により回転させられる。このように、選別機ディスク１６の下部表面１７は、シャフト１０の軸を中心として軸方向に回転させられた第１の表面を構成する。隣接する分離器回転子３０の上部表面１８は、第１の表面１７に面し、かつこの表面から間隔をとって配置された第２の表面である。表面１７及び１８は、粉砕回転子１４よりもさらに狭い間隔をとって配置され、その間に幅「ｃ」（「ｃ」は「ｇ」より小さい）の円筒形通路を構成する。分離角度αは６０°より大きい。
例えば、選別機ディスク１６の直径は１メートルより大きくてよく、このディスクは、隣接する粉砕ディスクの間の距離の約半分だけその隣接する粉砕ディスクから間隔をとって配置されていてよい。粉砕ディスクが４００ｍｍの間隔をおいて配置されている場合、選別機ディスク１６は、３００ｍｍ未満、好ましくは２４０ｍｍ未満の間隔をおいて配置できる。
分離器回転子３０には、ディスクを通して軸方向に延びる等角度で配置されたアパーチャ３２が開けられている。さらに、分離器回転子３０は、下向きにかつ軸方向と平行に延びるフィンガー３１を有している。選別機ディスク１６は、選別機段入口（「第１の選別機入口」）として作用する類似の等角度で間隔がとられた開口部１５Ａを有する。選別機１６の周囲及び分離器回転子３０は、第１の表面１７と第２の表面１８の間に構成された通路１９に対する円筒形出口を構成するが、分離器回転子３０内のオリフィス３２は、入口１５Ａから通路１９まで軸方向に間隔をとっておかれた選別機出口（「第１の選別機出口」）を構成する。
スラリー（ｈ）は、選別機ディスク１６の開口部１５Ａを介して通路１９に入り、回転子３０のアパーチャ３２及び出口開口部２５を介して通路１９から出る。第１及び第２の表面１７，１８は、直接又は間接的に、通路内の粒子に対し角度的加速を与える。微粒子（ｊ）（例えば粉砕された製品）は、オリフィス３２を介して通路１９から離れるスラリー流の中に同伴された状態にとどまるが、重い粒子（ｉ）（例えば有用な媒体）は同伴解除され、（接線方向に）外向きに動き、ディスク１６の周囲で選別機段から出る。このように、選別段は、図５の実施態様に関して論述されたものと同じ原理を利用する。
望ましくは、二次選別は分離器段で行なうことができる。例えば、アパーチャ３２（「第１の選別機出口」）を介して通路１９から出たスラリー（ｊ）は、分離器回転子３０の下流表面と排出体内部プレート２３の上部表面の間に構成された半径方向に延びる分離通路３３の中に入る。こうして、アパーチャ３２は、選別機段出口であると同時に分離器段入口でもある。スラリーは、羽根車軸により近い場所で分離機通路３３の中に取込まれ、周囲フィンガー３１に向かって半径方向外向きに流れる。スラリーは、次に開口部２５とフィンガー３１の間の軸方向通路３４の中に流れ込み、円筒形開口部２５を介して出口パイプ６内へと流れ出る。粗粒子及び微粒子の双方は、分離器回転子３０によって与えられる回転によって加速される。予め定められた質量よりも大きい質量をもつ粒子（ｋ）（主として有用な媒体）は、半径方向に外向きに運動量を得るため、スラリーが軸方向通路３４内に方向を変えて出口２５を介して流出するにつれて、スラリーから同伴解除された状態となる。より大きい質量をもつこれらの粒子は、通路周囲にある出口において分離通路３３から出て、フィンガー３１の間を通り、半径方向に向けられ、チャンバ１に戻る。予め定められた質量よりも低い微粒子（１）は、スラリーが開口部２５へと軸方向通路３４により構成された出口で半径方向通路３３を離れるにつれて同伴された状態にとどまり、ミルから排出する。開口部２５はスクリーンを必要としない。しかしながら、流体抵抗を提供するために格子を具備するのが有利である。格子は、選別用スクリーンとしては作用せず、有用な粉砕媒体又は未粉砕製品の最大寸法よりもはるかに大きい開口部を有していてよい。例えば０．９ｍｍ（場合によってはそれ未満）の最大寸法までの有用な粉砕媒体が保持されるべきであるにもかかわらず、２ｍｍ又は２０ｍｍの開口部を使用することができる。
こうして、図６の分離器段で行なわれる分離又は「二次選別」は、上流選別機段とは異なる作動原理を用いる。分離器段では、微粒子及び粗粒子の双方は、半径方向外向きに加速されるが、粗粒子の運動量がより大きいため、スラリー流の方向が半径方向流から軸流方向に変化するにつれて同伴解除された状態となる。選別及び分離（二次選別）段の組合せが特に有効であることがわかった。
図７に例示されているようなさらなる実施態様においては、分離器回転子３０は羽根車シャフト１０により駆動されず、その代り、低部端壁２０内のパッキン押え４１を貫通して延び、図示されていない手段により駆動される第２の駆動軸４０を介して独立した形で駆動される。分離器回転子３０には、出口パイプ６と連通する環状出口チャンバ４２の上にある等角度間隔で配置されたオリフィス３２が具備されている。出口チャンバ４２には、場合によっては、被覆スクリーン２４が備わっていてよいが、このスクリーン２４が使用される場合、前述のとおり選別機ディスク１６の表面１７と分離器回転子の表面１８の間でまず、出口の上流にて粒子が選別されることから、スクリーンは分離又は選別の機能を果たさない。
図７の実施態様において、分離器回転子３０が羽根車シャフト１０及び選別ディスク１６から異なる速度で駆動され得るということがわかるだろう。したがって、羽根車シャフト１０は、ディスク１４における又はディスク１４の間の粉砕を最適化するように選ばれた速度で駆動されてもよいが、分離器回転子３０は、粒径カット、より正確に言うと１つの粒子がミル出口までスラリー流の中で同伴されるか又は出口の上流で拒絶されてミルの中に保持されるかを決定する臨界質量に影響を及ぼすように選択された異なる速度で駆動され得る。
図８の実施態様は、分離段で発生する二次選別に関して図７のものと異なっている。分離器回転子３０のオリフィス３２からの流れは、分離器回転子３０の下流表面と向かい合うエンドプレート２３の間に構成された半径方向に延びる分離器通路３３を介して、オリフィス３２の半径方向内向きにシャフト４０に隣接して位置づけされた軸方向に延びる通路３４に向かって導かれる。微粉は、次に、パイプ６と連通する開口部２５を介して排出する。このようにして、オリフィス３２は、選別段用の（第１選別機）出口として及び分離器段（二次選別段）への入口として作用する。半径方向通路３３の周囲は、半径方向に向けられ、それによりミルに対し粗（重）粒子が戻されることになる１つの通路出口を提供している。通路３４は、スラリーと同伴された状態で微（軽）粒子が排出する周囲の第２の通路出口を提供している。
図９の実施態様は、スラリーがオリフィス３２から半径方向に延びる通路３３内へと流れ、開口部２５を介して、開口部２５と流動的連通状態にある中空駆動軸４０を通ってミルから出るという点で、図８のものと異なっている。図８及び図９の実施態様は、分離器回転子３０の下面とエンドプレート２３の間に構成された軸方向通路３３に入る粒子が角度的加速を受けるような分離（又は二次選別）を提供する。微粒子は第２の通路出口に向かって半径方向内向きのスラリー流と同伴され、そして粗粒子は同伴解除されてフィンガー３１の間の第１の通路出口で外向きに導出することができる。
図１０の実施態様は、分離器段入口オリフィス３２を介して半径方向通路３３に入るスラリーが、軸方向通路３４及び出口スクリーンを持たない開口部２５を介してミルから排出する前に半径方向外向きに流れるという点で、図８及び９の実施態様と異なる。粗（より重い）粒子は、その運動量によって、通路３３の周囲にある第１の開口部において、図６の実施態様に関して前述したものと同様の方法で外へと運び出されるが、微（より軽い）粒子は、第２の開口部で通路３３から出る。
図１１及び１２の実施態様は、選別機ディスク１６及び分離器回転子３０が両方とも駆動軸１６によって、かつ羽根車シャフト１０とは独立して駆動されるという点で、それまでに記述されたものとは異なっている。この実施態様においては、羽根車シャフト１０は粉砕のための最適な速度で駆動され、選別機ディスク１６は、製品粒子及び消費済み媒体からの有用な媒体の最適な分離を達成するために望ましい速度で駆動される。所望の場合、最後の粉砕ディスク１４の下側と選別回転子１６の上部表面の間に、これらのディスクを互いにさらに近い間隔で配置することによって、付加的な選別段を提供することができる。あるいは、これらのディスクを、それらの間の粉砕を促進するべく充分に離隔させる（例えば６０°未満の分離角度で）ことができる。図１１及び１２の一次選別機配置は、様々な分離（二次選別）システムを利用することができる。こうして、図１２において、通路３３は、中空駆動軸４０内に出口、すなわち分離器段入口アパーチャ３２の内側に軸方向の分離器段出口を有する。図１１において、分離器段出口には、通路３３内のアパーチャ３２からの半径方向外向きの流れを介して到達する。図１３では、一次選別機からの流れは、アパーチャ３２を介して直接、下にある出口チャンバ４２内へと出る。各々の実施態様において、選別はディスク１６と回転子３０の間で行なわれる。
図１４において、二次選別のための分離器と組合せて本発明による選別機を利用するペグミルが示されている。このミルは、粉砕ディスク１４が前述のミルのシャフトよりも大きい直径の駆動軸又はドラム１０から半径方向外向きに延びるペグ５０により置き換えられているという点で、前述のものと異なっている。ペグ５１は、ペグ５０に対し互いに入り込む形でチャンバの壁から半径方向内向きに延びている。図１４の実施態様においては、選別はディスク１６の下面１７と分離器回転子３０の上部面１８との間で行われるが、分離又は二次選別は、回転子３０の下側とエンドプレー２３の間で行え得る。所望の場合には、選別機ディスク１６の向かい合う上部表面と近づけてペグミル駆動軸１０の下部端面５３を密な間隔をおいて配置することによって、さらなる選別を行うことができる。本明細書でディスク式粉砕ミルに関して前述した様々な分離又は二次選別システムは、ペグミルの場合にも同様に利用できる。
図１５及び１６の実施態様において示されているように、選別機ディスク１６は、有利には、シャフト４０により駆動される分離器回転子３０と同心でこの回転子から独立している駆動軸４５によって駆動され、かつシャフト１０により駆動される粉砕ディスク１４からも独立して駆動され得る。こうして、羽根車シャフト１０は、粉砕効率を促進するように選択された速度で回転されることができ、選別機ディスク１６は、一次選別を提供するように選択された速度でシャフト４５により駆動されることができ、分離器回転子３０は、分離又は二次選別のための最適な速度でシャフト４０により駆動され得る。所望の場合、シャフトの一本（例えば４５）は、その他のシャフトに対して逆転駆動され得る。図１５及び１６の実施態様は、分離器又は二次選別出口がアパーチャ３２から半径方向外向きに配置（図１５）されるか、又はアパーチャ３２から半径方向内向きに配置（図１６）されている装置を例示している。後者の場合、スラリーは中空シャフト４５を介して排出する。図１７及び図１８の実施態様は、図７及び８に類似する分離器又は２次選別段を有する。
図１９を参照すると、スラリー出口がミルのチャンバ端部ではなく、ミルの壁に配置され、選別機は、シャフト１０の軸に対し直角な軸を中心にして部材が回転している状態で作動する、１つの実施態様が示される。図２０は、スラリー出口が床に隣接してではなく、ミルの屋根（駆動端部）に配置されており、最終分離が重力により補助され得るような装置を示している。
図２１は、各端部から供給を受け、端部間に配置された出口を有するミルの中で実質的に中央に選別機が位置している１つの実施態様を示している。この実施態様において、分離又は二次選別機出口流は、中空シャフト４５を介している。排出体２０は、出口２５を構成する装置によって置換され、これは中空シャフト４５に取り付けられ、このようにして、分離器回転子３０と通路３３の反対側２３との間などのさらなる速度変動に備えている。選別は、前述のように選別ディスク１６と回転子３０の間で行なわれる。あるいは、出口装置のディスク１６及び回転子３０の双方は、単一の中空シャフトによって駆動され得る。
図２２（明確に示すために図２２Ａと２２Ｂに分けて示されている）及び図２３は、一次選別機（及び任意の分離器又は二次選別機）（単数又は複数）が羽根車シャフト１０に対して直角に１本の軸のまわりに配置されている様々な配置を示している。
図２３及び２４に示されているように、選別及び分離器区分は、ミルの主円筒壁に５４でフランジ取付けされ、選別システムを交換する必要なくミル壁を交換できるようにする（又はその反対）円筒形ハウジングの中に収納することが可能である。選別機又は分離器システムの選別機ディスク１６又はその他の部分は、粉砕要素の直径と異なる直径のものであってよい。図示されていないその他の実施態様においては、図２５に示されているものに類似する選別システムを、粉砕ディスク１４と選別ディスク１６の間の距離の調整を可能にする手段によって、ミルの壁２に取り付けることができる。例えば、分離器システムハウジングをミルの壁に対しねじ込み可能な形で結合させてこのような調整を提供することができる。
図２５は、本発明の選別システムがペグ回転子内に構成された溝内に配置されているペグミルを例示している。
本明細書の教示から当業者にとっては明白となるように、１つの実施態様の特徴をこの教示に従って様々な形でもう１つの実施態様の特徴と組合わせることができる。
さらなる一例として、本発明によるミル及び１，０００リットルを超える有効容量を有する図６に示したミルは、９００キロワット前後の消費電力で、かつ１時間当り最大約１１０立方メートルの体積流量で作動させた。ミルは、分離器回転子３０から１５０ｍｍで間隔どりされた直径１，０００ｍｍを超える選別機ディスクを有する。粉砕ディスク１４は約３００ｍｍ離隔されていた。分離器回転子３０の外径と粉砕チャンバの内径の間の比率は０．７〜０．９５であった。いくつかの実験では、ミルは、亜鉛粗選剤及び補集剤濃縮物が、そしてその他の試験では鉛粗選剤が供給された。粉砕すべき濃縮物の供給原料サイズは、８０％が４５ミクロンを通過するもの（Ｄ８０＝４５ミクロン）から８０％が５７ミクロンを通過するもの（Ｄ８０＝５７ミクロン）まで変動した。目的の製品サイズは、８０％が１６ミクロンを通過するもの（Ｄ８０＝１６ミクロン）であった。
３つの異なる種類の粉砕媒体が利用された：すなわち（ａ）相対密度３．７５の「スラグ」、（ｂ）相対密度２．６５の「砂」、（ｃ）相対密度３．１の不合格重媒体（「ＨＭ」）である。供給された状態の媒体及び均衡時の媒体含有量の両方についてのＤ５０及びＤ８０が表１に示されている：
0003800556.tif 000002
砂に対するＤ５０は、供給原料中の微粉の存在のため、製品についてのものよりも細かいものであった。供給原料の砂は、粒径が１ｍｍ未満の粒子を約３０％含んでおり、これらの粒子はミルによって保持されなかった。目的の製品サイズを達成するために出力及び流量を変動させた。媒体カットは以下の如く、起こると見積もられた：（ａ）スラグ０．４ｍｍ、（ｂ）砂１．４ｍｍ、及び（ｃ）ＨＭ０．７ｍｍ。すなわち、より小さい粒子がミルから排出し、より大きい粒子が保持された。
これらの結果がミル出口で分離器スクリーンを使用することなく得られたものであるということは高く評価される。記述された状況下での粒径選別にはいかなる用途にも役立たない直径２０ｍｍを超えるオリフィスをもつスクリーンが、流量制御を目的として出口で用いられた。ミルは、場合によって摩耗した粉砕ディスクを交換することのみが必要となるもので、出口の詰まりによる運転停止が起こらず運転された。
本発明によるた装置は、好ましくは１時間当り１０立方メートル以上、より好ましくは１時間当り１００立方メートル以上の処理能力を有している。
本発明は、「ディスク」の形をした粉砕要素及び類似の選別機「ディスク」に関連して記述されてきたが、これらの要素が円形平面である必要はないということも理解されるであろう。例えば、三角形もしくは四角形の要素、ストライカバー、ハンマーなどをディスクの代りに用いることができるだろう。半径方向に配置されたストライカが用いられる場合には、回転平面を通しての軸流がストライカの間に発生する。
選別機要素内のアパーチャの数及び／又は位置は、粉砕機要素のものと異なっていてよく、軸からのアパーチャの半径方向距離を、選別「カット」の制御のために使用することができる。
その他の形の分離器又は二次選別段も利用可能であること、そしてこれらには回転要素が含まれている必要はないことも、理解できるだろう。
複数の選別要素を利用することもできる。選別機要素は、分離器回転子と結びつけられている必要はないが、隣接する粉砕機回転子からか、又はもう１つの隣接する選別機要素から距離「ｃ」のところにあってもよい。
例えば、分離器段は単純に、アパーチャのいずれかの側に選別機ディスクを伴う、適切に方向づけされた出口（例えば中空駆動軸内の半径方向アパーチャ）であってよい。
粉砕要素間の間隔「ｇ」は、実際上必ずしも最適な間隔ではなく、選別基準ではなく、粉砕基準を念頭において目的にかなった間隔が選ばれるということが理解されるであろう。同様にして、選別機要素と隣接する分離器回転子又は粉砕ディスクとの間の間隔「ｃ」は、サイズ縮小よりも選別を促進するため及び／又は分離器の摩耗を削減するために選ばれることになる。
本明細書に記述した発明は、その他の形でも利用でき、本発明の範囲から逸脱することなく１つの実施態様の特徴をもう１つの態様の特徴と組合わせることもできる。
【図１】
0003800556.tif 000003
【図２ａ】
0003800556.tif 000004
【図２ｂ】
0003800556.tif 000005
【図３】
0003800556.tif 000006
【図４】
0003800556.tif 000007
【図５】
0003800556.tif 000008
【図６】
0003800556.tif 000009
【図７】
0003800556.tif 000010
【図８】
0003800556.tif 000011
【図９】
0003800556.tif 000012
【図１０】
0003800556.tif 000013
【図１１】
0003800556.tif 000014
【図１２】
0003800556.tif 000015
【図１３】
0003800556.tif 000016
【図１４】
0003800556.tif 000017
【図１５】
0003800556.tif 000018
【図１６】
0003800556.tif 000019
【図１７】
0003800556.tif 000020
【図１８】
0003800556.tif 000021
【図１９】
0003800556.tif 000022
【図２０】
0003800556.tif 000023
【図２１】
0003800556.tif 000024
【図２２Ａ】
0003800556.tif 000025
【図２２Ｂ】
0003800556.tif 000026
【図２３】
0003800556.tif 000027
【図２４】
0003800556.tif 000028
【図２５】
0003800556.tif 000029